(57)【要約】【課題】  携帯端末の筐体を動かして所定の状態にしたときに所望のアプリケーションが素早く起動できるようにする。【解決手段】  表示部１と、利用者による入力操作が主に行われる入力部２と、表示部１と入力部２とを移動可能に接続する可動手段４と、表示部１及び入力部２の移動状態を検出する移動検出手段３と、この移動検出手段３からの情報を基に、表示部１及び入力部２を第１の状態から第２の状態又は第２の状態から第１の状態へ相対的に移動させる途中で、該移動を所定時間停止したときの表示部１及び入力部２の移動方向及び停止位置を判断し、この判断結果に応じて移動後に起動するプログラムを切り替える制御手段とを有することを特徴とする。【選択図】        図１  
2005311533.tif 000002
【特許請求の範囲】
【請求項１】
表示部と、
利用者による入力操作が主に行われる入力部と、
前記表示部と前記入力部とを移動可能に接続する可動手段と、
前記表示部及び前記入力部の移動状態を検出する移動検出手段と、
前記移動検出手段からの情報を基に、前記表示部及び前記入力部を第１の状態から第２の状態又は第２の状態から第１の状態へ相対的に移動させる途中で、該移動を所定時間停止したときの前記表示部及び前記入力部の移動方向及び停止位置を判断し、該判断結果に応じて移動後に起動するプログラムを切り替える制御手段と
を有することを特徴とする携帯端末。
【請求項２】
前記起動されるプログラムの設定を利用者により変更可能とする
ことを特徴とする請求項１記載の携帯端末。
【請求項３】
前記制御手段は、各プログラムの使用頻度に応じて起動するプログラムを選択する
ことを特徴とする請求項１記載の携帯端末。
【請求項４】
前記制御手段は、前記表示部及び前記入力部の移動を所定時間停止したときに、前記第１又は第２の状態への移動後に起動するプログラムを前記表示部に表示する
ことを特徴とする請求項１記載の携帯端末。
【請求項５】
前記制御手段は、前記表示部及び前記入力部の移動を停止したときの停止時間に応じて起動するプログラムを選択する
ことを特徴とする請求項１記載の携帯端末。
【請求項６】
表示部と、
利用者による入力操作が主に行われる入力部と、
前記表示部と前記入力部とを、互いの主面に略垂直な回動軸を介して回動可能に接続する回動手段と、
前記表示部及び前記入力部の回転状態を検出する回転検出手段と、
前記回転検出手段からの情報を基に、前記表示部及び前記入力部を第１の状態から第２の状態又は第２の状態から第１の状態へ相対的に移動させる途中で、該回転を所定時間停止したときの前記表示部及び前記入力部の回転方向及び停止位置を判断し、該判断結果に応じて移動後に起動するプログラムを切り替える制御手段と
を有することを特徴とする携帯端末。
【請求項７】
前記起動されるプログラムの設定を利用者により変更可能とする
ことを特徴とする請求項６記載の携帯端末。
【請求項８】
前記制御手段は、各プログラムの使用頻度に応じて起動するプログラムを選択する
ことを特徴とする請求項６記載の携帯端末。
【請求項９】
前記制御手段は、前記表示部及び前記入力部の移動を所定時間停止したときに、前記第１又は第２の状態への移動後に起動するプログラムを前記表示部に表示する
ことを特徴とする請求項６記載の携帯端末。
【請求項１０】
前記制御手段は、前記表示部及び前記入力部の回転を停止したときの停止時間に応じて起動するプログラムを選択する
ことを特徴とする請求項６記載の携帯端末。
【請求項１１】
表示部と、
利用者による入力操作が主に行われる入力部と、
前記表示部と前記入力部とを滑動可能に接続する滑動手段と、
前記表示部及び前記入力部の滑動状態を検出する滑動検出手段と、
前記滑動検出手段からの情報を基に、前記表示部及び前記入力部を第１の状態から第２の状態又は第２の状態から第１の状態へ相対的に移動させる途中で、該滑動を所定時間停止したときの前記表示部及び前記入力部の滑動方向及び停止位置を判断し、該判断結果に応じて移動後に起動するプログラムを切り替える制御手段と
を有することを特徴とする携帯端末。
【請求項１２】
前記起動されるプログラムの設定を利用者により変更可能とする
ことを特徴とする請求項１１記載の携帯端末。
【請求項１３】
前記制御手段は、各プログラムの使用頻度に応じて起動するプログラムを選択する
ことを特徴とする請求項１１記載の携帯端末。
【請求項１４】
前記制御手段は、前記表示部及び前記入力部の移動を所定時間停止したときに、前記第１又は第２の状態への移動後に起動するプログラムを前記表示部に表示する
ことを特徴とする請求項１１記載の携帯端末。
【請求項１５】
前記制御手段は、前記表示部及び前記入力部の活動を停止したときの停止時間に応じて起動するプログラムを選択する
ことを特徴とする請求項１１記載の携帯端末。
【発明の詳細な説明】
【技術分野】
【０００１】
本発明は、携帯電話端末等の携帯端末に関し、特に表示部と入力部が移動可能に接続された２層構造の携帯端末に関する。
【背景技術】
【０００２】
従来、表示機能を搭載した筐体（表示部）とキー入力機能を搭載した筐体（入力部）からなる２層構造を持ち、回転ジョイント部によって両筐体に平行な平面内で回転可能に接続された構成の、いわゆるジャックナイフ型の携帯電話端末において、２つの筐体を回転させてキー入力機能の利用可能状態及び利用停止状態を切り替えるようにしている。
【０００３】
しかしながら、表示部及び入力部を回転させ携帯電話端末の状態を切替えた後、利用したいアプリケーションプログラム（以下、アプリケーションと称する。）を起動させる際、表示部に表示されたメニューからアプリケーションを選択する操作が生じ煩わしいという問題があった。
【０００４】
また、回転後にアプリケーション起動用ボタン（図示略）を押した場合、回転を始めてから実際に使用したい状態になるまでの時間が、回転に要する時間分余計にかかっていたという問題があった。
【０００５】
一方、上述の携帯電話端末の利用可能状態及び利用停止状態の違いを利用し利用可能状態及び利用停止状態の相対的位置に対応してアプリケーションが機動されるようにする形態情報端末機が提案されている。この形態情報端末機によれば、携帯情報端末機の多機能化と小型化が進んでもその操作が複雑化することなく、デジタルデバイドの発生を回避することができる（例えば、特許文献１参照）。
【特許文献１】特開２００３−８６９５号公報
【発明の開示】
【発明が解決しようとする課題】
【０００６】
しかしながら、特許文献１に記載のものは、携帯情報端末機を所定の状態に切り替えた後、アプリケーションを選択し起動させる操作が必要なくなるものの、実際に使用したい状態になるまでの時間が、回転に要する時間分余計にかかっていたという問題があった。
【０００７】
斯かる点に鑑み、本発明は、携帯端末の筐体を動かして所定の状態にしたときに所望のアプリケーションが素早く起動されるようにすることを目的とする。
【課題を解決するための手段】
【０００８】
上記課題を解決し、目的を達成するため、本発明は、表示部と、利用者による入力操作が主に行われる入力部と、表示部と入力部とを移動可能に接続する可動手段と、表示部及び入力部の移動状態を検出する移動検出手段と、この移動検出手段からの情報を基に、表示部及び入力部を第１の状態から第２の状態又は第２の状態から第１の状態へ相対的に移動させる途中で、該移動を所定時間停止したときの表示部及び入力部の移動方向及び停止位置を判断し、この判断結果に応じて移動後に起動するプログラムを切り替える制御手段とを有することを特徴とする。
【０００９】
斯かる本発明によれば、携帯端末の表示部及び入力部を動かして所定の状態としたときに、元の状態から所定の状態に移動する際に表示部及び入力部を停止した位置に応じて設定されたプログラムが自動的に起動されるので、所望のプログラムが素早く起動する。
【発明の効果】
【００１０】
本発明によれば、携帯端末の表示部及び入力部を所定の状態に移動時に、移動途中での停止位置に応じて設定されたプログラムが自動的に素早く起動され起動までの時間を短縮できるとともに、移動後の利用者による起動操作を省略することができ煩わしい操作から解放されるという効果が得られる。
【発明を実施するための最良の形態】
【００１１】
以下、図１〜図８を参照して、本発明の一実施の形態の例について説明する。
【００１２】
図１は、本発明の一実施の形態の例の携帯電話端末の表面を示した概略平面図であり、Ａは入力部操作可能状態、Ｂは入力部操作停止状態を示す。本例では、携帯端末として、例えば表示機能を搭載した筐体とキー入力機能を主に搭載した筐体からなる２層構造を持ち、回転ジョイント部（可動手段）によって両筐体に略平行な平面内で回転可能に接続された構成の、いわゆるジャックナイフ型の携帯電話端末に適用した例としている。
【００１３】
図１Ａ及び図１Ｂにおいて、１はＬＣＤ（Liquid Crystal Display）５を搭載した筐体（以下、表示部と称する。）、２は操作ボタン群から構成される操作部２ａを搭載した筐体（以下、入力部と称する。）を示し、表示部１及び入力部２は、互いの主面に対して略垂直な回動軸（可動手段）４によって回動自在に接続されている。また１ａは例えば２つの操作ボタンからなる操作部、３は所定位置に設置された回転検出素子３ａ，３ｂ，３ｃ，３ｄ，３ｅ，３ｆ，３ｇ，３ｈから構成される回転検出部（回転検出手段）である。なお、本例の携帯電話端末はカメラを備えており、例えば入力部２の背面（図示略）に設けられている。
【００１４】
図１Ａの状態のとき、利用者は通話や操作部２ａの操作ボタンによる入力操作（以下、キー入力という。）を行い各種アプリケーションプログラム（以下、アプリケーションという。）の実行など、所望の機能を利用することができる。例えば利用できるアプリケーションの一例として、メール、スケジューラ、ＷＥＢ（World Wide Web）ビューワ、ゲームなどが挙げられる。
【００１５】
図１Ａの状態から回動軸４を軸に表示部１をＬＣＤ５の表示面を含む平面内で移動、すなわち回動軸４を軸に右又は左に回転させて入力部２と重ねると、図１Ｂに示すように上方からは表示部１のみが見える状態となる。
【００１６】
図１Ｂの状態のときは、入力部２の操作部２ａが表示部１の下に隠れるので、操作部２ａに伴う入力操作を行うことができない。
【００１７】
図２は、図１Ａの状態と図１Ｂの状態の中間状態の一例であり、図１Ａの状態から表示部１を９０度右回転させて停止した状態を表している。
【００１８】
図３は、図１及び図２に示される携帯電話端末の表示部１と入力部２の回転ジョイント部（可動手段）の構成例を示した図である。図３において、６は表示部１内部に設けられた回転盤、７は入力部２内部に設けられ回転検出素子３ａ〜３ｈが配置された固定盤を示す。回転盤６及び固定盤７における回転動作は相対的なものであるといえるが、説明の便宜上、表示部１側のものを回転盤、入力部２側のものを固定盤としている。
【００１９】
入力部２の固定盤７に配置された８個の回転検出素子３ａ〜３ｈは例えばホールＩＣから構成され、表示部１の回転盤７に設置された磁石（図示略）の動作を感知し、その信号を回転状態を示す信号として後述の回転検出部１５に出力する。
【００２０】
図４は、本発明の一実施の形態の例の携帯電話端末の構成を示すブロック図である。図４において、１１はマイクロホンやスピーカ等と音声信号の入出力を行う音声インターフェース、１２は音声信号についてアナログ信号をデジタルデータに変換したり、その逆の処理を行ったり、またアナログ信号やデジタルデータを一定の規則に従って符号化／復号化する音声コーデック部である。また１３は携帯電話基地局と無線通信を行う無線通信部、１４はカメラで撮影された映像の信号をＣＰＵ（Central Processing Unit）１６へ送信するカメラ入力部、１５は回転検出素子３ａ〜３ｈからの回転信号に基づき表示部１と入力部２の回転の状態を検出する回転検出部である。
【００２１】
ＣＰＵ（制御手段）１６は、図示しないＲＡＭ（Random Access Memory）を作業領域としてＲＯＭ（Read Only Memory）又はフラッシュメモリ等に記録されたプログラムに従い、表示部１及び入力部２の状態変更に伴うアプリケーションの切り替えなどの所定の制御及び演算を行う。なお、携帯電話端末のブロック構成はこの例に限るものではない。
【００２２】
回転検出手段として機能する回転検出部１５は、図１Ａの携帯電話端末の状態を０度、図１Ｂの携帯電話端末の状態を１８０度とすると、その二つの状態と回転方向、回転角度及び停止したかどうかを検出できればよく、回転検出部１５の検出結果に基づき、携帯電話端末が０度もしくは１８０度からどの方向にかつどのように変化したのかをＣＰＵ１６にて判断する。回転が停止したかどうかの検出については、ＣＰＵ１６が回転検出素子３ａ〜３ｈの検出結果を基に図５に示す各範囲において回転動作停止の検出を行う。
【００２３】
図５は、ＣＰＵ１６にて行われる回転動作停止の検出範囲の例を示すものである。例えば、回転検出素子３ａ（図１参照）により携帯電話端末がａ範囲にあることが検出され、同様に、ｂ範囲は回転検出素子３ｂ、ｃ範囲は回転検出素子３ｃ、ｄ範囲は回転検出素子３ｄ、ｅ範囲は回転検出素子３ｅ、ｆ範囲は回転検出素子３ｆによりそれぞれ検出される。また、携帯電話端末が入力部操作可能状態又は入力部操作停止状態であるかは、それぞれ回転検出素子３ｇ及び３ｈにより行われる。
【００２４】
図５に示すように、本例においては停止位置の検出範囲に関し一周を６等分するようにしたが、４等分や８等分等切り替え動作対象のアプリケーション数などによって設計変更を行うようにする。
【００２５】
図６は、携帯電話端末の回転動作が行われた場合に、ＣＰＵ１６にて行われる回転動作停止の検出例を示すフローチャートである。ＣＰＵ１６は各範囲（図５参照）において回転動作の停止時間が設定値より長いかどうか判断し（ステップＳ１）、回転停止時間が設定値よりも長い場合、「回転停止ＴＲＵＥ」として回転動作停止を検出する（ステップＳ２）。一方、回転停止時間が設定値よりも短い場合、「回転停止ＦＡＬＳＥ」として回転動作停止を検出しない（ステップＳ３）。なお、この設定値についてはデフォルト設定（例えば１秒）の他、利用者により適宜変更できるものとする。
【００２６】
そしてＣＰＵ１６は、上述した回転検出部１５から取得した表示部１及び入力部２の回転動作に関する情報、例えば入力部操作停止状態（図１Ｂ）から入力部操作可能状態（図１Ａ）、もしくは逆に入力部操作可能状態（図１Ａ）から入力部操作停止状態（図１Ｂ）へ移動する際の回転方向、回転角度及び回転動作の途中で止めたかどうかを検出して、移動後に起動するアプリケーションの切り替えを行う。
【００２７】
例えば、図１Ａに示す状態（１８０度）から図１Ｂに示す状態（０度）への移動を検出した場合に、回転検出部１５は図２に示されるように右回転動作途中の９０度で停止した場合、その停止時間が設定値よりも長ければ、回転検出部１５は９０度右回転して停止したことを検出する。ＣＰＵ１６は回転検出部１５で検出された回転停止情報より、携帯電話端末がｂ範囲（図５参照）で停止したと判断し、図１Ｂに示す状態に移動したときに表示部１停止位置のｂ範囲に対応したアプリケーションが起動されるように制御する。
【００２８】
なお、起動できるアプリケーションの設定は、デフォルト設定の他、ＣＰＵ１６が利用者のアプリケーション使用頻度に基づき自動的に割り当てるように設定しておく。また利用者により起動アプリケーションの設定を適宜変更できるようにしておくと、例えば利用者にとって最も楽な手順で所望のアプリケーションを起動させることができるようになり使い勝手がよくなる。
【００２９】
次に、ＣＰＵ１６により行われるアプリケーション切り替え動作について、図７及び図８を参照しながら説明する。図７及び図８は、アプリケーション切り替え動作の一例を示すフローチャート（その１）、（その２）であり、このフローチャートに沿って列挙されたアプリケーションの切り替え動作を行うプログラムをＲＯＭなどに記録しておく。
【００３０】
最初に切り替え動作の対象とするアプリケーションの例を挙げておく。本例の入力部操作可能状態（図１Ａ）において、主に以下の用途、例えば通話（電話番号のキー入力）、キー入力を伴う各種アプリケーション（メール、スケジューラ、ＷＥＢビューワ、ゲーム等）などに用いられる。
【００３１】
また入力部操作停止状態（図１Ｂ）においては、主に以下の用途に用いるものとする（但し、表示部１に付属する操作部１ａのキー入力は可能）。例えば、通話（アドレス帳登録済み相手及び発信／着信履歴のある相手向け）、表示部１の操作部１ａにより利用可能なアプリケーション（各アプリケーションの制限された機能）、入力部操作停止状態のみで起動可能なアプリケーション（カメラ撮影等）、待ちうけ状態などが挙げられる。
【００３２】
まず、ＣＰＵ１６は回転検出部１５にて表示部１及び入力部２の回転動作が検出されたかどうかを判断し（ステップＳ１１）、回転検出部１５で回転動作が検出された場合、回転前の元の状態を取得する（ステップＳ１２）。
【００３３】
例えば、回転前の状態が入力部操作可能状態（図１Ａ）であった場合の表示部１の回転方向を検出し（ステップＳ１３）、検出された回転方向が右回転の場合、ａ範囲、ｂ範囲、ｃ範囲のいずれの位置で停止したかを検出する（ステップＳ１４〜Ｓ１６）。
【００３４】
例えば、回転検出部１６にて右回転において停止状態なしと検出された場合には、ＣＰＵ１６はＲＯＭに記憶されたプログラムに従い、待ち受け状態とするアプリケーション（アプリ１）を選択しＬＣＤ５に待ち受け画面を表示する（ステップＳ１７）。また表示部１がａ範囲において停止した場合には例えばカメラ撮影モード（アプリ４）を起動する（ステップＳ１８）。ｂ範囲において停止した場合には例えばビデオ撮影モード（アプリ３）を起動する（ステップＳ１９）。ｃ範囲において停止した場合には例えばメールビューワ（アプリ２）を起動する（ステップＳ２０）。
【００３５】
そして、ステップＳ１３の判断処理において検出された回転方向が左回転であった場合、ｆ範囲、ｅ範囲、ｄ範囲のいずれの位置で停止したかを検出する（ステップＳ２１〜Ｓ２３）。
【００３６】
例えば、左回転において停止状態なしの場合には、入力部操作停止状態で１番多く使用されているアプリケーション（アプリ８）を起動する（ステップＳ２４）。ｄ範囲において停止した場合には２番目に多く使用されているアプリケーション（アプリ７）を起動する（ステップＳ２５）。ｅ範囲において停止した場合には３番目に多く使用されているアプリケーション（アプリ６）を起動する（ステップＳ２６）。ｆ範囲において停止した場合には４番目に多く使用されているアプリケーション（アプリ５）を起動する（ステップＳ２７）。
【００３７】
一方、ステップＳ１２の判断処理において、回転前の状態が入力部操作停止状態（図１Ｂ）であった場合、表示部１の回転方向を検出し（ステップＳ３１）、検出された回転方向が右回転の場合、ｄ範囲、ｅ範囲、ｆ範囲のいずれの位置で停止したかを検出する（ステップＳ３２〜Ｓ３４）。
【００３８】
例えば、回転検出部１６にて右回転において停止状態なしと検出された場合には、ＣＰＵ１６はＲＯＭに記憶されたプログラムに従い、電話を行うアプリケーション（アプリ１６）を選択しＬＣＤ５に電話（電話番号のキー入力）画面を表示する（ステップＳ３５）。また表示部１がｄ範囲において停止した場合には例えばメール（アプリ１３）を起動する（ステップＳ３６）。ｅ範囲において停止した場合には例えばスケジューラウ（アプリ１４）を起動する（ステップＳ３７）。ｆ範囲において停止した場合には例えばＷＥＢビューワ（アプリ１５）を起動する（ステップＳ３８）。
【００３９】
そして、ステップＳ３１の判断処理において検出された回転方向が左回転であった場合、ｃ範囲、ｂ範囲、ａ範囲のいずれの位置で停止したかを検出する（ステップＳ３９〜Ｓ４１）。
【００４０】
例えば、左回転において停止状態なしの場合には、入力部操作可能状態で１番多く使用されているアプリケーション（アプリ９）を起動する（ステップＳ４２）。ａ範囲において停止した場合には２番目に多く使用されているアプリケーション（アプリ１０）を起動する（ステップＳ４３）。ｂ範囲において停止した場合には３番目に多く使用されているアプリケーション（アプリ１１）を起動する（ステップＳ４４）。ｃ範囲において停止した場合には４番目に多く使用されているアプリケーション（アプリ１２）を起動する（ステップＳ４５）。上記の設定はユーザが適宜変更することができ、携帯電話端末の全アプリケーションを起動できるよう設定しておく。
【００４１】
以上のような構成の本例によれば、表示部１及び入力部２を入力部操作停止状態（図１Ｂ）から入力部操作可能状態（図１Ａ）、もしくは逆に入力部操作可能状態（図１Ａ）から入力部操作停止状態（図１Ｂ）へ移動後に、移動途中で停止した位置に応じて設定されたアプリケーションの起動を自動的に素早く実行できるとともに、所望のアプリケーション起動のために別途キー入力を行う必要がなくなるので、煩わしい操作から解放される。
【００４２】
携帯端末の回転途中においてＣＰＵ１６が回転動作の停止を検出した場合、起動できるアプリケーションをＬＣＤ５（図１参照）に表示するようにしておくと、起動されるアプリケーションの間違いを防止することができる。
【００４３】
さらに止めた時間に応じて起動できるアプリケーションの切り替えを行うようにすることも可能である。これらの設定内容については、利用者により適宜変更できるようにするとともに、実際の切り替え動作時にどの設定を適用するか選択できるようにしておくとよい。
【００４４】
なお、上述の一実施の形態の携帯電話端末において、表示部１と入力部２の２層構造を持ち、回動軸４によって回動可能に接続された構成の携帯電話端末（ジャックナイフ型）について説明したが、本発明はいわゆるクラムシェル型（折り畳み型）の携帯電話端末や、表示部と入力部を所定の直線方向に滑動（スライド）させるいわゆるスライド型の携帯電話端末などにも適用することができる。
【００４５】
図９は、本発明の他の実施の形態の例の携帯電話端末として、いわゆるクラムシェル型の携帯電話端末の概略斜視図を示したものであり、Ａは入力部操作可能状態（開いた状態）、Ｂは入力部操作停止状態（閉じた状態）を表している。図９Ａ及び図９Ｂに示されるように、表示部１及び操作部２がヒンジ２０により開閉可能に接続され、図９Ａの状態からヒンジ２０を回転軸にして表示部１を移動、すなわち表示部１を閉めて入力部２と重ねると図９Ｂに示す状態となり、このとき入力部２の操作部２ａが表示部１の下に隠れるので、操作部２ａに伴う入力操作を行うことはできない。
【００４６】
図９に示すクラムシェル型携帯電話端末において、上述のジャックナイフ型携帯電話端末の場合と同様に、入力部操作可能状態（図９Ａ）から入力部操作停止状態（図９Ｂ）、又は入力部操作停止状態（図９Ｂ）から入力部操作可能状態（図９Ａ）への開閉動作途中での表示部１の移動方向及び停止位置（停止角度）に応じて起動アプリケーションを設定することにより、携帯電話端末を所定の状態へ移動したときに所望のアプリケーションが自動的に起動されるよう実現することができる。
【００４７】
図１０は、本発明のさらに他の実施の形態の例の携帯電話端末として、いわゆるスライド型の携帯電話端末の概略斜視図を示したものであり、Ａは入力部操作可能状態（開いた状態）、Ｂは入力部操作停止状態（閉じた状態）を表している。図１０Ａ及び図１０Ｂに示されるように、表示部１及び操作部２が所定の滑動手段（図示略）により紙面横方向に滑動可能に接続され、図１０Ａの状態から滑動手段を介して表示部１を移動、すなわち表示部１を閉めて入力部２と重ねると図１０Ｂに示す状態となり、このとき入力部２の操作部２ａが表示部１の下に隠れるので、操作部２ａに伴う入力操作を行うことはできない。
【００４８】
図１０に示すスライド型携帯電話端末において、上述のジャックナイフ型携帯電話端末の場合と同様に、入力部操作可能状態（図１０Ａ）から入力部操作停止状態（図１０Ｂ）、又は入力部操作停止状態（図１０Ｂ）から入力部操作可能状態（図１０Ａ）への開閉動作途中での表示部１の移動方向及び停止位置に応じて起動アプリケーションを設定することにより、携帯電話端末を所定の状態へ移動したときに所望のアプリケーションが自動的に起動されるよう実現することができる。
【００４９】
また、本発明は上述した携帯電話端末以外にも、表示部と入力部の２層構造を持ち、所定の可動手段によって移動可能に接続された構成の例えば携帯情報端末、カメラなど、種々の携帯端末に適用することができる。
【図面の簡単な説明】
【００５０】
【図１】本発明の一実施の形態の例の携帯端末の概略平面図である。
【図２】図１の携帯端末の可動手段の構成例を示す図である。
【図３】本発明の一実施の形態の例の携帯端末の概略底面図である。
【図４】本発明の一実施の形態の例の携帯端末の構成を示すブロック図である。
【図５】本発明の回転動作停止の検出範囲の説明に供する図である。
【図６】本発明の回転動作停止の検出フローチャートである。
【図７】本発明の切り替え動作のフローチャート（その１）である。
【図８】本発明の切り替え動作のフローチャート（その２）である。
【図９】本発明の他の実施の形態の例の携帯端末の概略斜視図である。
【図１０】本発明のさらに他の実施の形態の例の携帯端末の概略斜視図である。
【符号の説明】
【００５１】
１…表示部、１ａ，２ａ…操作部、２…入力部、３…回転検出部、３ａ，３ｂ，３ｃ，３ｄ，３ｅ，３ｆ，３ｇ，３ｈ…回転検出素子、４…回動軸、５…ＬＣＤ、６…回転盤、７…固定盤、１１…音声インターフェース、１２…音声コーデック部、１３…無線通信部、１４…カメラ入力部、１５…回転検出部、１６…ＣＰＵ、２０…ヒンジ
【図１】
2005311533.tif 000003
【図２】
2005311533.tif 000004
【図３】
2005311533.tif 000005
【図４】
2005311533.tif 000006
【図５】
2005311533.tif 000007
【図６】
2005311533.tif 000008
【図７】
2005311533.tif 000009
【図８】
2005311533.tif 000010
【図９】
2005311533.tif 000011
【図１０】
2005311533.tif 000012